(57)【要約】【課題】温度の変化に対しても過度にフレームが変形することなく長期に渡りタイルを確実に保持し得るタイル保持具を提供する。【解決手段】施工面の上下方向に延在して設けられる縦フレーム１０と、表面にタイルが取り付けられる横フレーム３０とを有し、横フレーム３０が縦フレーム１０を介して施工面Ｐに支持されるタイル保持具である。縦フレーム１０は、その長手方向の複数箇所で施工面Ｐに支持されると共に、各箇所には縦フレーム１０の長手方向に延びる長穴１１ｂが穿設され、この長穴１１ｂに挿通される締結部材を介して施工面Ｐに支持される。【選択図】図１
2013151835.tif 000002
【特許請求の範囲】
【請求項１】
施工面の上下方向に延在して設けられる縦フレームと、表面にタイルが取り付けられる横フレームとを有し、この横フレームが前記縦フレームを介して施工面に支持されるタイル保持具であって、
前記縦フレームは、その長手方向の複数箇所で前記施工面に支持されると共に、各箇所には前記縦フレームの長手方向に延びる長穴が穿設され、この長穴に挿通される締結部材を介して前記施工面に支持されていることを特徴とするタイル保持具。
【請求項２】
前記縦フレームが支持される前記複数箇所において、そのうち一箇所は前記施工面に対して不動に固定されていることを特徴とする請求項１に記載のタイル保持具。
【請求項３】
前記長穴は、前記施工面に対して不動に固定される箇所を除いて形成されていることを特徴とする請求項２に記載のタイル保持具。
【請求項４】
前記縦フレームが前記施工面の幅方向に複数設けられると共に、これら縦フレーム間に横フレームが架設され、さらに前記横フレームと前記縦フレームとの交点には、横フレームの長手方向に長い長穴が形成され、この長穴に挿通される締結部材を介して前記横フレームが縦フレームに連結されていることを特徴とする請求項１〜３の何れかに記載のタイル保持具。
【請求項５】
施工面の幅方向に複数設けられると共に各々が施工面の上下方向に延在して設けられる縦フレームと、これら縦フレーム間に架設され、その表面にタイルが取り付けられる横フレームとを有し、前記横フレームが前記縦フレームを介して施工面に支持されるタイル保持具であって、
前記横フレームと前記縦フレームの交点には、横フレームの長手方向に長い長穴が形成され、さらに前記横フレームはこの長穴に挿通される締結部材を介して前記縦フレームに連結されていることを特徴とするタイル保持具。
【請求項６】
前記タイルの裏面には、内部が開口端の幅に比べて幅広に形成された凹部が設けられ、さらに前記横フレームの正面には、互いに相反する方向に突出すると共に前記凹部の内方に係合可能な一対の突出片が設けられ、
前記突出片の先端には、始端から終端にかけてバネ性を有するように湾曲した断面Ｕ字状の湾曲部が連設されると共に、この湾曲部が前記施工面に対して浮き上がった状態で保持され、さらに湾曲部には、この湾曲部を施工面側から支える補強片が設けられていることを特徴とする請求項１〜５の何れかに記載のタイル保持具。
【請求項７】
前記湾曲部は、その始端側で前記突出片に連設し、前記終端側が前記施工面側に配置され、
前記補強片は、この湾曲部の終端に連設されていることを特徴とする請求項６に記載のタイル保持具。
【請求項８】
前記補強片は、前記横フレームと前記縦フレームとの交点において、前記縦フレームの表面に接していることを特徴とする請求項６又は７の何れかに記載タイル保持具。
【発明の詳細な説明】
【技術分野】
【０００１】
本発明は、建物等の内壁や外壁等の施工面にタイルを取り付けるためのタイル保持具に関する。
【背景技術】
【０００２】
この種のタイル保持具として、例えば図９に示すタイル取付装置１００がある。
このタイル取付装置１００は、建築物の壁面に固設される金属製の長尺板部材１３１と、この長尺板部材１３１に直交して固設されたタイル係合部材１３３とを備え、タイル１３５の裏側に形成された凹部をタイル係合部材１３３に係合させてタイル１３５を壁面に保持している（特許文献１参照）。
【０００３】
このように構成されたタイル取付装置は、タイルを、モルタル等を用いること無く壁面に固定できるため、熟練の技術を要せずとも短時間に、且つ容易に広範囲にタイル面を形成できる。また、モルタルの経年劣化によるタイルの剥離もなく、高所ではタイルの落下防止対策としても有効である。
【先行技術文献】
【特許文献】
【０００４】
【特許文献１】特許２９０９７００号
【発明の概要】
【発明が解決しようとする課題】
【０００５】
ところで、タイルは建物の外壁材等の外装用として用いられることが多くあり、この場合には直射日光や外気の温度差に晒される。このためタイルを保持している金属製の長尺板部材（以下、フレームと称する）はその温度差に起因して伸び縮みし、この変形量が過度になると各部に強い負荷が掛かる他、フレームの浮き上がりなどが引き起こされる。
【０００６】
本発明は上記の課題を考慮してなされたもので、温度の変化に対しても過度にフレームが変形することなく、長期に渡りタイルを確実に保持し得るタイル保持具の提供を課題とする。
【課題を解決するための手段】
【０００７】
すなわち本発明に係るタイル保持具は、上記の課題を解決するために次のように構成されている。すなわち、施工面の上下方向に延在して設けられる縦フレームと、表面にタイルが取り付けられる横フレームとを有し、前記横フレームが前記縦フレームを介して施工面に支持されるタイル保持具であって、
前記縦フレームは、その長手方向の複数箇所で前記施工面に支持されると共に、各箇所には前記縦フレームの長手方向に延びる長穴が穿設され、この長穴に挿通される締結部材を介して前記施工面に支持されていることを特徴とする。
【０００８】
このように構成された本発明のタイル保持具は、縦フレームを施工面に取付ける際、フレームの長手方向に長い透穴に締結部材を挿通して縦フレームを支持する。このため施工面に支持された状態でも、縦フレームはその長手方向に伸縮可能である。
【０００９】
なお、長穴の穴径は、フレームの伸び縮みを許容できる値に設定さており、フレームの位置を微調整するための単に緩い穴とはその作用効果並びに形状を異にする。すなわち、長穴に挿通される締結部材に対して、フレームの長手方向における遊びは十分に確保されるものの、幅方向の遊びは小さい値に設定されている。
【００１０】
具体的には、使用環境で想定される温度差、穴の形成間隔、フレームの長さや厚み、さらにはフレームの材質に定められた線膨張係数および熱膨張係数等、複雑な要素を考慮して設計されている。
【００１１】
また、本発明におけるタイルは、陶器製のみならず、煉瓦製、木製、樹脂製等のものであってもよい。また、広義では、予め定められた外形を有し、施工面に並べて組み付けられるパネル状部材を含んでよく、その一例としは、防音パネル、遮熱パネル、化粧パネル等が挙げられる。
【００１２】
また、本発明で施工面とは、建物の外壁や内壁に限定されず、縦フレームを装着可能な面であれば、その施工面の種別は限定しない。
【００１３】
また、前記縦フレームが支持される前記複数箇所において、そのうち一箇所は前記施工面に対して不動に固定されている構成でもよい。  また、前記長穴は、前記施工面に対して不動に固定される箇所を除いて形成してもよい。
【００１４】
すなわち、縦フレームは、不動に固定された箇所を基点として、その上下方向に伸縮可能に支持される。つまり、縦フレームは不動に固定された箇所で施工面に対する位置決めがなされ、他の箇所は縦フレームの伸縮性を妨げること無く動的に縦フレームを支持する。
【００１５】
なお、本発明で一箇所とは、その数量で限定されるものではなく、フレームの伸縮性を害さない範囲で設定されるフレームの一領域に相当し、例えば、この領域内の複数箇所で縦フレームを固定しても上記同様の作用が得られる。
【００１６】
また、前記縦フレームが前記施工面の幅方向に複数設けられると共に、これら縦フレーム間に横フレームが架設され、さらに前記横フレームと前記縦フレームとの交点には、横フレームの長手方向に長い長穴が形成され、この長穴に挿通される締結部材を介して前記横フレームが縦フレームに連結されている構成でもよい。
【００１７】
この構成によれば、縦フレームと横フレームの連結に於いて長穴が適用され、横フレームは縦フレームに対して伸縮可能に支持される。  なお、長穴はその向きが横フレームの長手方向を向いていればよく、横フレームのみならず、縦フレーム側に形成してもよい。すなわち、縦フレーム及び横フレームの少なくとも一方に長穴が形成されていればよい。好ましくはフレームの幅等を考慮すると横フレーム側に形成するのが望ましい。
【００１８】
また、本発明は、施工面の幅方向に複数設けられると共に各々が施工面の上下方向に延在して設けられる縦フレームと、これら縦フレーム間に架設され、その表面にタイルが取り付けられる横フレームとを有し、前記横フレームが前記縦フレームを介して施工面に支持されるタイル保持具であって、
前記横フレームと前記縦フレームの交点には、横フレームの長手方向に長い長穴が形成され、さらに前記横フレームはこの長穴に挿通される締結部材を介して前記縦フレームに連結されている構成でもよい。
【００１９】
また、前記タイルの裏面には、内部が開口端の幅に比べて幅広に形成された凹部が設けられ、さらに前記横フレームの正面には、互いに相反する方向に突出すると共に前記凹部の内方に係合可能な一対の突出片が設けられ、
前記突出片の先端には、始端から終端にかけてバネ性を有するように湾曲した断面Ｕ字状の湾曲部が連設されると共に、この湾曲部が前記施工面に対して浮き上がった状態で保持され、さらに湾曲部には、この湾曲部を施工面側から支える補強片が設けられている構成でもよい。
【００２０】
この構成によれば、バネ性を有する湾曲部が施工面側から補強片によって支えられるため、湾曲部に対してタイルの組み付けに伴う外力が作用すると、補強片にはその外力と相反する方向に抗力が生じる。よって施工面方向への湾曲部の沈み込みが抑えられ、湾曲部を含む突出片全体がタイル裏面の凹部に確実に係合する。
【００２１】
また、前記湾曲部は、その始端側で前記突出片に連設し、前記終端側が前記施工面側に配置され、前記補強片は、この湾曲部の終端に連設されている構成でもよい。
【００２２】
また、前記補強片は、前記横フレームと前記縦フレームとの交点において、前記縦フレームの表面に接している構成でもよい。この構成によれば、湾曲部に対して施工面側に設けられる縦フレームの表面に補強片が接しているため、湾曲部は、縦フレームとの間で施工面側から支えられる。
【発明の効果】
【００２３】
以上、本発明によれば、温度の変化に対しても過度にフレームが変形することなく長期に渡りタイルを確実に保持し得るタイル保持具を提供できる。
【図面の簡単な説明】
【００２４】
【図１】本実施の形態に示すタイル保持具の正面図。
【図２】縦フレームと横フレームの要部拡大図。
【図３】図２のＡ−Ａ’断面図。
【図４】図２の側面図。
【図５】横フレームの斜視図。
【図６】横フレームの側面図。
【図７】横フレームとタイルの係合状態を示す概略構成図。
【図８】タイルの組み付け作業を示す説明図。
【図９】従来のタイル取付装置を示す正面図。
【発明を実施するための最良の形態】
【００２５】
以下、図面を参照して本発明のタイル保持具を説明する。
本実施の形態に示すタイル保持具１は、図１に示すように、タイルを連続的に設置する施工面Ｐの幅方向に複数設けられると共に、各々が施工面Ｐの上下方向に延在するように設けられる縦フレーム１０と、これら縦フレーム１０，１０間に架設され、その表面にタイル４０が取り付けられる横フレーム３０とを有する。
【００２６】
縦フレーム１０は、全長約１,０００ｍｍのステンレス製異形チャンネル部材または全長約１,０００ｍｍのステンレス製フラットバー(延板)で構成され、各々が末端で約１０ｍｍ程度の隙間を確保しながら上下に連なるように配設されている。また、施工面Ｐの幅方向に対しては、末端で約４００ｍｍの間隔を確保しながら複数配列されている。
【００２７】
また、縦フレーム１０は、図２に示すように、その長手方向に約２００〜３００ｍｍ間隔で、施工面取り付け用の透穴１１を複数有する。この縦フレーム１０は、この透穴１１にアンカーやコンクリートビス等の締結部材を挿通させて、施工面Ｐに複数箇所で取り付けられている。
【００２８】
ここで、透穴１１並びに施工面Ｐに対する縦フレーム１０の取り付け方法を説明する。
図２に示すように、所定幅の縦フレーム１０に設けられる複数の透穴１１のうち、縦フレーム１０の最も上側に穿設された透穴１１は、アンカー用の丸穴１１ａであり、縦フレーム１０の設置に先立って施工面Ｐに穿設した下穴にアンカー５０を打ち込み、続いてこのアンカー５０に縦フレーム１０を組み付けてボルト締めする。よって縦フレーム１０の最も上側に位置した固定箇所では、縦フレーム１０が施工面Ｐに対して不動に固定される。
【００２９】
一方、最も上側には位置しない他の透穴１１は、縦フレーム１０の長手方向に長く延びる長穴１１ｂであり、コンクリートビス５１の挿通時においても、縦フレーム１０の長手方向に十分な遊びが確保されている。
なお、アンカーはコンクリートビスで置き換えてもよく、コンクリートビスはアンカーを用いてもよい。
【００３０】
なお、この長穴１１ｂの遊びは、縦フレーム１０の長手方向における伸び縮みを許容し得る値に基づいて決定されている。
すなわち、使用環境で想定される温度差、また、フレームの長さや厚みの他、フレームの素材に定められた線膨張係数および熱膨張係数等を考慮して選定されており、この長穴１１ｂ内をコンクリートビス５１がスライドすることで、縦フレーム１０の伸び縮みが可能になる。
【００３１】
具体的には、縦フレーム１０に穿設される透穴１１のうち、最も上側の透穴（丸穴１１ａ）を除く他の透穴（長穴１１ｂ）は、直径６ｍｍの締結部材に対して８．５×１６ｍｍの穴径が選定されている。なお、この数値は一例であり、縦フレーム１０の取付けに用いるコンクリートビス等の仕様に応じて適宜選択される。
【００３２】
このように縦フレーム１０は、その長手方向の複数箇所で施工面Ｐに支持され、そのうち縦フレーム１０の上部に形成された透穴１１（丸穴１１ａ）では施工面Ｐに対して縦フレーム１０が不動に固定され、他の箇所は長穴１１ｂを介して縦フレーム１０の長手方向に伸縮可能に支持されている。つまり、最も上側の透穴１１を基点として縦フレーム１０はその上下方向に伸縮可能に支持されている。
【００３３】
続いて、図１〜図３を参照して横フレーム３０を説明する。
横フレーム３０は、全長約１,３００ｍｍのステンレス鋼板製で、図１及び図２に示すように縦フレーム１０の正面側に複数段配置されている。具体的には、各々縦フレーム１０に直交し、且つその上下間隔が約７５ｍｍ幅となるように上下数段に亘り配置され、また、施工面Ｐの幅方向では、それぞれ末端で約３０ｍｍの間隔が空くように複数列配置されている。
なお、この数値は一例であり、使用タイル等により適宜選択される。
【００３４】
また、横フレーム３０と縦フレーム１０の交点部において、横フレーム３０には、横フレーム３０の長手方向に延びる長穴３１が形成されており、図３に示すように、横フレーム３０は、この長穴３１及び縦フレーム１０の対応穴を貫通するリベット５５を介して、横フレーム３０の長手方向に伸縮可能に組み付けられている。
【００３５】
なお、横フレーム３０に形成された長穴３１の機能は、縦フレーム１０に形成された長穴１１ｂと同様に、フレームの伸び縮みを逃がす役目を果たすことであり、その穴径も上記した温度差や横フレーム３０の長さ、並びに各種膨張係数等を考慮して選定されている。
【００３６】
具体的には、適用リベット径３．２ｍｍの場合１０×３．４ｍｍの穴径が選定されている。
【００３７】
このように本実施の形態に示すタイル保持具１は、施工面Ｐに対して複数箇所で支持される縦フレーム１０のうち、その一箇所において縦フレーム１０が不動に固定されると共に、他の箇所は縦フレーム１０の伸び縮みを逃がすように伸縮可能に支持されている。さらに横フレーム３０も、長穴３１によってその長手方向に伸縮可能に支持されている。
【００３８】
つまり、気温の変化に伴い圧縮や引張応力が各フレームに作用しても、縦フレーム１０は、施工面Ｐに対して不動に固定された上部を基点として伸び縮みし、また、横フレーム３０も同様に横フレーム３０の長手方向に伸び縮みする。よってフレームや施工面に対する連結部分に掛かる負荷を減らすことができ、また、フレームの浮き上がりなども抑制することができる。
【００３９】
続いて、横フレーム３０の形状及びこの横フレーム３０に対するタイル４０の接合方法を、図４〜図８を参照して説明する。
まず、本発明で用いるタイル４０の構造を説明する。
タイル４０は、その表面は一般的な四角形の外観を呈するが、図７〜図８に示すように、その裏面側には凹部４１が設けられている。この凹部４１は、内側奥部が上下方向に拡大し、内側が開口の幅に比べて幅広に形成されている。
【００４０】
一方、横フレーム３０には、互いに相反する方向に突出すると共にタイル裏面の凹部４１の内方に係合可能な一対の突出片３３、３４が設けられている。
この一対の突出片３３，３４は、横フレーム３０の縁部をプレス等によって折り曲げて形成される。横フレーム３０の上縁３０ａ側に形成された突出片３３は、横フレーム３０の板面３０ｃから斜め上方に延びている。タイル４０の組み付け時において、突出片３３は、タイル裏面の凹部４１の拡がった内側奥部に入り込み、凹部４１の内側上方に係合する。
【００４１】
また、横フレーム３０の下縁３０ｂ側に形成された突出片３４は、横フレーム３０の板面３０ｃから斜め下方に延び、その先端にはバネ性が付与されている。
具体的には、始端３５ａから終端３５ｂにかけてバネ性を有するように湾曲した断面Ｕ字状の湾曲部３５を有し、図８に示すように、突出片３３が、タイル４０の凹部４１の内側上方に入り込んだ状態で、横フレーム３０の正面側から湾曲部３５にタイル４０を押し当てると、湾曲部３５がタイル４０に接して内側に撓み、さらにタイル４０を押し込むと、この湾曲部３５が、タイル４０の凹部４１の下縁を乗り越えて凹部４１内に入り込み、凹部４１の内側下方に係合する。
【００４２】
また、縦フレーム１０と横フレーム３０の交点に於いて、湾曲部３５は、常態で縦フレーム１０の表面から浮き上がっており、さらに湾曲部３５の終端３５ｂには、縦フレーム１０の表面に接するように一直線状に延びる補強片３６が連設されている。
【００４３】
この補強片３６は、バネ性を有する湾曲部３５の不要な変形を抑える役目を有する。詳しくは、湾曲部３５にタイル４０の組み付けに伴う外力が作用すると、補強片３６にはその外力と相反する方向に抗力が生じ、湾曲部３５はこの抗力によってその終端３５ｂが施工面Ｐ側から支えられるかたちとなり、結果として、縦フレーム１０側への不要な沈み込みが抑えられる。
【００４４】
そして、この状態からさらにタイル４０を押し込むと、湾曲部３５はその終端３５ｂが湾曲部３５の内側に入り込むように微少変形し、タイル４０に押さえ込まれることなく凹部４１に入り込む。
【００４５】
つまり、湾曲部３５の変形が適正化されるため、横フレーム３０に対するタイル４０の組み付けが容易になる他、タイル４０の装着感が向上し、組み付け不良等の作業ミスを減らすことができる。
【００４６】
なお、上記実施の形態はあくまでも一実施形態であり、各部の仕様は、本発明の特許請求の範囲を逸脱しない限りで変更できる。
【００４７】
例えば、縦フレーム１０の一番上側に設けられた透穴１１を用いて縦フレーム１０を不動に固定しているが、必ずしもその必要はなく、例えば、縦フレーム１０の中央、また下部等に形成された透穴１１ｂを利用してもよい。
【００４８】
また、縦フレーム１０に形成される透穴１１のすべてを縦フレーム１０の長手方向に延びる長穴とし、そのうち一箇所のみを施工時においてきつく締め付けて不動に固定する構成としてもよい。
【００４９】
上記の実施形態では、縦フレーム１０の上部に形成した透穴１１ａの一箇所で縦フレーム１０を不動に固定しているが、例えば、透穴１１ａを縦フレーム１０の幅方向に複数設けて固定するなど、縦フレーム１０の長手方向における伸縮性を妨げない範囲であれば、縦フレーム１０をその範囲内において複数箇所で固定することもできる。
【００５０】
上記の実施形態では、横フレーム３０の長手方向に長い長穴３１を横フレーム３０側に形成したが、この長穴３１は縦フレーム１０側に設けてもよい。すなわち、縦フレーム１０の幅方向に長い長穴を縦フレーム１０側に設け、横フレーム３０側にリベット穴を形成して、縦フレーム１０と横フレーム３０を連結してもよい。この場合には、縦フレーム１０側に形成された長穴内を横フレーム３０側のリベットがスライドすることで横フレーム３０の伸び縮みが可能になる。
【００５１】
本タイル保持具に用いるタイルは、陶器製のみならず、煉瓦製、木製、樹脂製等であってもよい。また、コンクリート打ちの施工面の他、木などで形成された施工面等にも本発明は有効である。
【符号の説明】
【００５２】
１０  縦フレーム
１１  透穴
１１ａ  丸穴
１１ｂ  長穴
３０  横フレーム
３０ａ  横フレームの上縁
３０ｂ  横フレームの下縁
３１  横フレームの長穴
３３、３４  突出片
３５  湾曲部
３５ａ  湾曲部の始端
３５ｂ  湾曲部の終端
３６  補強片
４０  タイル
５０  アンカー
５１  コンクリートビス
４２  凹部の開口端
４１  タイル裏面の凹部
Ｐ  施工面
１００  タイル取付装置
１３１  長尺板部材
１３３  タイル係合部材
１３５  タイル
１３５ａ  タイル裏面の凹部
【図１】
2013151835.tif 000003
【図２】
2013151835.tif 000004
【図３】
2013151835.tif 000005
【図４】
2013151835.tif 000006
【図５】
2013151835.tif 000007
【図６】
2013151835.tif 000008
【図７】
2013151835.tif 000009
【図８】
2013151835.tif 000010
【図９】
2013151835.tif 000011